(57)【要約】【課題】車外，車内を撮影するカメラで画像を録画し、運転中の事故発生を通報し、また、駐車中の防犯上の異常を検知した時、通報することが可能な車載監視カメラ装置を提供する。  【解決手段】車外と車内を撮影するカメラで、運転中は車外を撮影録画し、事故検知センサーが作動した時、画像付きメールで通報後、会話形態で通報する。駐車中は車内撮影録画に切り換えて、防犯センサー作動時、警報を鳴らすと同時に画像付きメールで通報後、会話形態で通報する。【選択図】      図１
2007019568.tif 000002
【特許請求の範囲】
【請求項１】
車両の車内，車外の状況を撮影できるカメラと、撮影した画像データを録画する画像記録装置を装備し、運転時は車外を撮影録画し、駐車時は車内を撮影録画できる手段を備えた装置において、駐車時車内に装備した防犯センサーの信号を検知し、車内を撮影録画すると同時に警報を鳴らし、登録先に通報と画像送信ができることを特徴とする装置。
【請求項２】
請求項１の装置において運転時、事故発生検知センサーの作動を検知し、登録先に通報と画像送信ができることを特徴とする装置。
【請求項３】
請求項１の装置において、車内用カメラ，車外用カメラとして１個のカメラを設け、運転時は車外を撮影し、駐車時は車内方向に回転し、車内を撮影できることを特徴とする装置。
【発明の詳細な説明】
【技術分野】
【０００１】
本発明は、車両の運転中は車外の画像を撮影録画し、事故発生時、通報と事故原因解析をできるようにし、駐車中は、盗難や車上荒らし等の被害を受けた時、警報を鳴らすと同時に通報と画像録画するための車載監視カメラ装置に関するものである。
【背景技術】
【０００２】
従来、車載監視カメラは、車外を撮影するカメラでは、事故発生時の画像を録画できる装置がある。また、車内を撮影するカメラでは、運転者の状態を画像録画できる装置がある。
【０００３】
しかし、車外を撮影するカメラの装置では、画像録画だけで事故発生の通報機能がなかった。
また、車内を撮影するカメラの装置では、防犯を目的とするものでなく、通報機能も持たない装置であった。
通報機能を有する車盗難防止警報装置として文献２があるが、車内撮影用カメラを有せず画像録画ができない。
【特許文献１】特開２０００−１２８０３０
【特許文献２】特開２００３−０６３３５７
【発明の開示】
【発明が解決しようとする課題】
【０００４】
通報装置を有する車盗難防止警報装置では、警報による威嚇及び電話への通報は可能であるが、犯人逃走後は、犯人の割り出しが困難である。
【０００５】
また、運転中、事故発生時、画像録画は残るが、事故発生等を自動的に第３者へ通報する装置がなかった。
【０００６】
従来は、車外車内を撮影するカメラを装備する時、運転中の事故状況の画像録画を目的とした車外撮影用のカメラと駐車中の防犯の画像録画を目的とした車内撮影用カメラの２台のカメラを装備しているためコスト高になっていた。
【課題を解決するための手段】
【０００７】
本発明は、上記した課題を解決するために、請求項１記載の発明では、車内と車外を撮影できるカメラ手段と、車内撮影と車外撮影を切換える手段と、撮影した画像を記録する画像記録手段と、車内に装備した防犯センサーを検知し警報を鳴らすと同時に画像記録手段を作動させ、画像記録手段から携帯電話（またはＰＨＳ）を介して、通報先の携帯電話（またはＰＨＳ）にメールで、設定された文章と画像を送信した後、車内の状況を把握するために、会話状態の通報を行う手段から構成されることを特徴とする装置を提供する。
【０００８】
また、請求項２記載の発明は、運転中は車外を撮影し画像記録手段で録画を行い、事故検知センサーが作動すると本体の受信部で検知し、携帯電話（またはＰＨＳ）で通報先の携帯電話（またはＰＨＳ）にメールで設定された文章と画像を送信した後、再度会話状態の通報を行うようにしたことを特徴とする装置を提供する。
【０００９】
また、請求項３記載の発明は、請求項１の装置において、カメラ１台で運転中は車外を撮影できるようカメラを車外に向け、駐車中は車内を撮影できるようカメラを回転させるようにしたことを特徴とした装置を提供する。
【発明の効果】
【００１０】
本発明によれば、車内装備の防犯センサーが作動した時点で、車の異常を知ると同時に画像受信により、異常状況を画像で把握することができる。
【００１１】
また、運転中の事故発生時、自動的に第３者に事故を通報し、事故状況を画像で知らせることができる。
【００１２】
また、撮影カメラを２台装備することなく、１台の装備で車内，車外の画像記録ができる。
【発明を実施するための最良の形態】
【００１３】
本発明の実施の形態について、請求項目１，２について実施例１で、他の実施例を実施例２で説明する。請求項目３については実施例３で説明する。
【実施例１】
【００１４】
図１において、車内１には車外及び車内を撮影するカメラ２ａ，２ｂと、装置の機器を制御する本体３と、撮影した画像を録画再生する画像記録装置４と、車内の異常を検知するマグネットセンサー５と、異常発生を通報する携帯電話（またはＰＨＳ）６と、電源供給用としてシガーライターソケット７が配備されており、車外撮影と車内撮影及び防犯監視状態を切り換えるリモコンスイッチ８から構成されている。
【００１５】
車外及び車内を撮影するカメラ２ａ，２ｂは本体３に接続されており、撮影画像を画像選択部３ａに送る。
【００１６】
本体３は、車外撮影カメラ２ａと車内撮影カメラ２ｂの撮影を切り換え、選択した画像を画像記録装置４に送り込む機能を有した画像選択部３ａと、図示されていないバックアップ用電池を有しシガーライターソケット７から入力した電源を本体３及び画像記録装置４及び車外撮影カメラ２ａと車内撮影カメラ２ｂに供給する電源部３ｂと、リモコンスイッチ８とマグネットセンサー５の無線信号を受信する受信部３ｃと、マグネットセンサー５の信号を受信した時だけ警報を鳴らす警報部３ｄと、マグネットセンサー５の信号を受信した時と図示されていない事故検知センサーからの信号を受信した時、指定された電話へ通報指示する通報部３ｅから構成されている。
【００１７】
画像記録装置４は、本体３の画像選択部３aより送られてくる画像を録画再生する装置であって、表示部４ａと操作部４ｂを有する。録画方法は図示されていないハードディスクまたはメモリーカードで画像録画し、操作部４ｂで画像再生を行い、電源の供給は本体３によって行われる。ハードディスクまたはメモリーカードでの録画はエンドレス方式の上書き方法で行う。車に装備されているカーナビに接続しカーナビで画像再生もできる。
【００１８】
マグネットセンサー５は、マグネット５ａをドア側に装備し、車体側に送信器５ｂを装備することで、ドアが開かれた時、送信器５ｂの図示されないスイッチがＯＮとなり本体３の受信部３ｃに信号が送信される。
マグネットセンサー５は、衝撃センサー，赤外センサー，超音波センサー等の防犯センサーとなるものであれば送信器付にすることで置き換えることができる。
【００１９】
携帯電話（またはＰＨＳ）６は、本体３の通報部３ｅの指示により、あらかじめ設定した文章に画像記録装置４の画像を添付して指定された携帯電話またはパソコンに送信する。送信終了後、再度携帯電話（またはＰＨＳ）６で通報し、車内の様子を聞ける状態にする。
【００２０】
図２において本実施形態の作動について説明する。図２は車の運転開始と駐車時の基本作動を示すフロー図である。
【００２１】
乗車時、ステップＳ１００でリモコンスイッチ８の車外撮影用スイッチ８ａをＯＮすると、ステップＳ１０１で本体３の受信部３ｃが無線信号を受信し、画像選択部３ａによって車外撮影カメラ２ａが撮影状態になる。
同時にステップＳ１０３で画像記録装置４が本体３の電源部３ｂを介して電源ＯＮになり、ステップＳ１０４で車外画像の録画を行う。
【００２２】
運転を終了し駐車する時、ステップＳ１０５でリモコンスイッチ８の車内撮影用スイッチ８ｂを押すと、本体３の受信部３ｃが無線信号を受信し、画像選択部３ａによって、ステップＳ１０７で車外撮影カメラ２ａがＯＦＦになり、車内撮影カメラ２ｂが撮影状態に切り換わるが、同時にステップＳ１０８で、本体３の電源部３ｂにより、画像記録装置４の電源がＯＦＦになるため画像録画は行えない状態になる。ステップＳ１０９で本体３はマグネットセンサー５が作動するまで車内を防犯監視状態とする。
【００２３】
図３において運転中、ステップＳ２００で図示されていない事故検知センサー（例えば衝撃センサー）が作動した時、ステップＳ２０１で本体３の受信部３ｃが信号を受信し、ステップＳ２０２で画像記録装置４の事故検知センサーが作動した時点の画像を添付して携帯電話（またはＰＨＳ）6で、あらかじめ設定された文章と一緒にメール送信する。
ステップＳ２０３でメール送信後、再度携帯電話（またはＰＨＳ）6で通話形態で通報する。
事故時の画像は、画像記録装置４に録画されているので再生することにより、事故状況の画像を見ることができる。
【００２４】
図４において、図２における駐車中のステップＳ１０９の防犯監視状態において、ステップＳ３００でマグネットセンサー５が作動すると、ステップＳ３０１で無線信号を本体３の受信部３ｃで受信し、ステップＳ１０３で画像記録装置４の電源がＯＮになり車内の録画を開始する。
同時にステップＳ３０２で本体３の警報部３ｄが作動し、警報が鳴る。
ステップＳ２０２でステップＳ１０４の画像記録装置４の画像をあらかじめ設定されている文章にメール添付して通報した後、ステップＳ２０３で再度通話形態の通報を行う。
【実施例２】
【００２５】
図５において、通報手段を画像記録装置４に設けた実施例を示す。
【００２６】
画像記録装置４にモバイルカード４ｃを設け、本体3の通報部3eの指示によって画像添付メールの通報を画像記録装置４にモバイルカード４ｃから行う。
【実施例３】
【００２７】
従来は、図６に示すように車外撮影カメラ２ａと、車内撮影カメラ２ｂのように車外用と車内用の２個のカメラを使用していた。
【００２８】
図７において、本発明では車内１に装備するカメラ９を１個にし、図２のステップＳ１００のリモコンスイッチ８のＯＮ時、図示されていない回転装置で車外撮影できる位置にカメラ９を回転させ保持し、図２のステップＳ１０５のリモコンスイッチ８のＯＦＦ時には、前述回転装置で車内撮影できる位置にカメラ９を回転させ保持する。
【図面の簡単な説明】
【００２９】
【図１】本発明の実施形態の構成を示す。
【図２】装置の基本動作を示す。
【図３】車外撮影時、事故検知センサーが作動した時の装置の動作フローを示す。
【図４】車内撮影時、マグネットセンサーが作動した時の装置の動作フローを示す。
【図５】画像記録装置より通報する実施例の構成を示す。
【図６】従来の車外、車内撮影カメラの装備例を示す。
【図７】本発明の１個のカメラを回転させ、車外と車内撮影する実施例を示す。
【符号の説明】
【００３０】
１  車内
２a 車外撮影カメラ
２b 車内撮影カメラ
３  本体
４  画像記録装置
４c モバイルカード
５  マグネットセンサー
６  携帯電話（またはＰＨＳ）
８  リモコンスイッチ
９  カメラ
【図１】
2007019568.tif 000003
【図２】
2007019568.tif 000004
【図３】
2007019568.tif 000005
【図４】
2007019568.tif 000006
【図５】
2007019568.tif 000007
【図６】
2007019568.tif 000008
【図７】
2007019568.tif 000009